(57)【要約】      （修正有）【課題】ポンプ出口圧力が高く安定する螺旋流定圧ポンプを提供する。【解決手段】螺旋流定圧ポンプは、ポンプケース及び羽根車を含み、ポンプケースの内壁が円弧形であり、羽根車がホイールハブ部分を有する１つの後蓋板及び後蓋板前側に位置して後蓋板と一体形成する複数の前羽根を備え、各前羽根が後蓋板円形辺縁に近づく所に反時計方向に屈曲して且つ時計方向に傾斜して、後蓋板の前表面と一定夾角を形成する屈曲傾斜部を形成する。螺旋流定圧ポンプはポンプ室における液体がポンプ前蓋方向に向く縦方向流動を生じるようになり、それとともに、回転流動を有し、これでポンプ内に螺旋流を形成し、液流が羽根車の前羽根間の空間に複数回に入って昇圧される。【選択図】図１
0003178989.tif 000002
【実用新案登録請求の範囲】
【請求項１】
ポンプケース及び羽根車を含み、ポンプケースの内壁が円弧形であり、羽根車がホイールハブ部分を有する１つの後蓋板及び後蓋板前側に位置して後蓋板と一体形成する複数の前羽根を備える螺旋流定圧ポンプにおいて、
各前羽根が後蓋板円形辺縁に近づく所に反時計方向に屈曲して且つ時計方向に傾斜して、後蓋板の前表面と一定夾角を形成する屈曲傾斜部を形成することを特徴とする、螺旋流定圧ポンプ。
【請求項２】
羽根屈曲傾斜部の外辺縁において後根部から羽根前の自由辺までは羽根車の軸線に対して径方向に内に向いて３°〜１０°を傾斜することを特徴とする、請求項１に記載の螺旋流定圧ポンプ。
【請求項３】
羽根屈曲傾斜部の外辺縁において後根部から羽根前の自由辺までは羽根車の軸線に対して径方向に内に向いて６°を傾斜することを特徴とする、請求項２に記載の螺旋流定圧ポンプ。
【請求項４】
前羽根の入口角が３０°〜６０°であることを特徴とする、請求項１に記載の螺旋流定圧ポンプ。
【請求項５】
前羽根の入口角が４５°であることを特徴とする、請求項４に記載の螺旋流定圧ポンプ。
【請求項６】
屈曲傾斜部の前自由辺の出口角が９０°〜１３０°であることを特徴とする、請求項１に記載の螺旋流定圧ポンプ。
【請求項７】
屈曲傾斜部の前自由辺の出口角が１００°であることを特徴とする、請求項６に記載の螺旋流定圧ポンプ。
【請求項８】
屈曲傾斜部の後根部の出口角が１１０°〜１４０°であることを特徴とする、請求項１に記載の螺旋流定圧ポンプ。
【請求項９】
屈曲傾斜部の後根部の出口角が１３０°であることを特徴とする、請求項８に記載の螺旋流定圧ポンプ。
【請求項１０】
円弧形ポンプケースの内壁は前部の半径がＲ１の円弧部分、中部の半径がＲ２の円弧部分及び後部の前部から後部までがポンプケースの中心線に傾斜する斜直線段部分を含み、前部の半径がＲ１の円弧部分、中部の半径がＲ２の円弧部分及び後部の前部から後部までがポンプケースの中心線に傾斜する斜直線段部分はポンプケースの中心線に回って一周回転してポンプケースの内壁を形成し、半径Ｒ１が半径Ｒ２より大きいことを特徴とする、請求項１から９のいずれか一項に記載の螺旋流定圧ポンプ。
【考案の詳細な説明】
【技術分野】
【０００１】
本発明は遠心ポンプに関し、具体的には、螺旋流定圧ポンプに関する。
【背景技術】
【０００２】
中国実用新案公報第２７６４９６７号においては旋流定圧ポンプを開示した。このような旋流定圧ポンプには、ポンプ体、ポンプ前蓋、ポンプ後蓋、ポンプ軸、羽根車及びモータを備える。ポンプ後蓋がポンプ体の前側に固定されて装着され、ポンプ前蓋がポンプ後蓋の前側に固定されて装着され、ポンプ前蓋とポンプ後蓋とはポンプ室を形成するポンプケースを構成する。ポンプ軸がベアリングを介してポンプ体内に回転可能に支持され、ポンプ軸の前部分がポンプ後蓋スタッフィングボックス内に装着される填料内に位置し、ポンプ軸の先端がポンプ室に伸び、羽根車がポンプ軸の先端に固定されて装着される。ポンプ前蓋の前側には水平液体入口があり、右側には垂直液体出口がある。羽根車はホイールハブを有する後蓋板と、後蓋板前後両側に位置して後蓋板と一体形成する複数の前羽根と、複数の後羽根とにより構成される。前羽根が後羽根より高い。図６と図７に示すように、前羽根１０が後蓋板２０円心Ｏから離れる一定距離の点Ａから始まり、後蓋板２０に垂直して直線となって時計方向へ傾斜し、円心Ｏから前羽根起点Ａまでの連接線と一定夾角を形成し、後蓋板２０円形辺縁に近づく点Ｂで反時計方向に屈曲して反時計方向に傾斜し、後蓋板２０の前表面と一定夾角を形成する。前羽根１０の外辺縁１２において前羽根１０の後根部１１の点Ｃから前羽根１０の平行線を描いた前自由辺１３の点Ｄまでが内に向いて傾斜する。ポンプ前蓋内壁が円弧形である。このような旋流定圧ポンプは、前羽根１０が後蓋板２０円形辺縁に隣接する部分で反時計方向に屈曲して反時計方向に傾斜するため、ポンプ室における液体が旋流を生じるようになり、これでポンプ出口圧力を一定程度に上げ、且つポンプ出口圧力がほぼ不変に保持するようになる。しかしながら、前羽根１０が後蓋板２０円形辺縁に隣接する部分が反時計方向に屈曲して反時計方向に傾斜し、図６に示す前羽根１０当該部分後根部１１の中心線と前羽根１０のＡＢ段中心線との夾角ａが前羽根１０当該部分に平行線を描いた前自由辺部１３の中心線と前羽根１０のＡＢ段中心線との夾角ｂより小さく、液体が前自由辺部１３から離れる絶対速度は液体が後根部１１から離れる絶対速度より大きく、このようにして、ポンプ室における液体がポンプ前蓋方向に向く縦方向流動を生じなく、圧力が更に上がらないようになった。
【先行技術文献】
【特許文献】
【０００３】
【特許文献１】中国実用新案公報第２７６４９６７号
【考案の開示】
【考案が解決しようとする課題】
【０００４】
本発明は従来の旋流定圧ポンプ圧力が低い問題を解決する、螺旋流定圧ポンプを提供する。
【０００５】
本発明の螺旋流定圧ポンプは、ポンプケース及び羽根車を備え、ポンプケースの内壁が円弧形であり、羽根車がホイールハブ部分を有する後蓋板及び後蓋板前側に位置して後蓋板と一体形成する複数の前羽根を備える螺旋流定圧ポンプにおいて、各前羽根が後蓋板円形辺縁に近づく所に反時計方向に屈曲して且つ時計方向に傾斜して、後蓋板の前表面と一定夾角を形成する屈曲傾斜部を形成することを特徴とする。
【０００６】
本発明の螺旋流定圧ポンプは、前羽根が後蓋板円形辺縁に近づく所に反時計方向に屈曲して且つ時計方向に傾斜し、後蓋板の前表面と一定夾角を形成する屈曲傾斜部を形成するため、ポンプ室における液体がポンプ前蓋方向に向く縦方向流動を生じるようになり、それとともに、回転流動を有し、これでポンプ内に螺旋流を形成し、液流が羽根車の前羽根間の空間に複数回に入って昇圧されるようになり、従来の旋流定圧ポンプに比べて、ポンプ出口圧力が更に高く、更に安定になる。
【０００７】
本発明の螺旋流定圧ポンプは更に下記の技術特徴を有する。
【０００８】
屈曲傾斜部の外辺縁において後根部から前自由辺までが内に向いて３°〜１０°を傾斜する。
【０００９】
屈曲傾斜部の外辺縁において後根部から前自由辺までが内に向いて６°を傾斜する。
【００１０】
前羽根の入口角が３０°〜６０°である。
【００１１】
前羽根の入口角が４５°である。
【００１２】
屈曲傾斜部の前自由辺の出口角が９０°〜１３０°である。
【００１３】
屈曲傾斜部の前自由辺の出口角が１００°である。
【００１４】
屈曲傾斜部の後根部の出口角が１１０°〜１４０°である。
【００１５】
屈曲傾斜部の後根部の出口角が１３０°である。
【００１６】
円弧形ポンプケースの内壁は前部の半径がＲ１の円弧部分、中部の半径がＲ２の円弧部分及び後部の前部から後部までがポンプケースの中心線に傾斜する斜直線段部分を含み、前部の半径がＲ１の円弧部分、中部の半径がＲ２の円弧部分及び後部の前部から後部までがポンプケースの中心線に傾斜する斜直線段部分はポンプケースの中心線に回って一周回転してポンプケースの内壁を形成し、半径Ｒ１が半径Ｒ２より大きい。
【図面の簡単な説明】
【００１７】
【図１】本発明の螺旋流定圧ポンプの縦断面模式図である。
【図２】本発明の螺旋流定圧ポンプの羽根車の後蓋板と後蓋板前表面上の前羽根の正面模式図である。
【図３】図２に示す螺旋流定圧ポンプの羽根車の後蓋板と後蓋板前表面上の前羽根と後蓋板後表面上の後羽根の縦断面模式図である。
【図４】本発明の螺旋流定圧ポンプのポンプケースの縦断面模式図である。
【図５】図４に示すポンプケースの後端面の模式図である。
【図６】従来の技術において旋流定圧ポンプの羽根車の後蓋板と後蓋板前表面上の前羽根の正面模式図である。
【図７】図６に示す螺旋流定圧ポンプの羽根車の後蓋板と後蓋板前表面上の前羽根と後蓋板後表面上の後羽根の縦断面模式図である。
【考案を実施するための最良の形態】
【００１８】
以下、図面と具体的な実施形態を合わせて、本発明の螺旋流定圧ポンプを詳細に説明する。
【００１９】
図１を参照し、本発明の螺旋流定圧ポンプはポンプ体１００、ポンプケース２００、ポンプ軸３００、羽根車４００及びモータ５００を備える。
【００２０】
ポンプケース２００がポンプ体１００の前側に固定されて装着され、ポンプケース２００とポンプ体１００とはポンプ室６００を形成する。モータ５００がポンプ体１００の後側に固定されて装着される。モータ５００の軸がポンプ軸３００とする。ポンプ軸３００の先端がポンプ室６００内に伸び、羽根車４００がポンプ軸３００の先端に固定されて装着される。ポンプ体１００が中心密封腔１１０を有する。中心密封腔１１０内に１セットの公知の端面密封または機械密封１２０が装着される。ポンプケース２００の前側には水平液体入口２１０があり、右側には垂直液体出口２２０がある。羽根車４００はホイールハブ部分４１０を有する後蓋板４６０と、後蓋板４６０前後両側に位置して後蓋板と一体形成する複数の前羽根４５０と、複数の後羽根４８０とを備える。前羽根４５０が後羽根４８０より高い。
【００２１】
羽根車４００の前羽根４５０の形状が図２と図３に示すように、前羽根４５０のＨＩ段が図６と図７に示す従来の旋流定圧ポンプ羽根車の前羽根１０のＡＢ段に同一であるが、後蓋板４６０円形辺縁に近づく点Ｉで反時計方向に屈曲して時計方向に傾斜し、後蓋板４６０の前表面と一定夾角を形成する屈曲傾斜部を形成する。屈曲傾斜部の外辺縁４５２において後根部４５１の点Ｊから平行線を描いた前自由辺４５３の点Ｋまでが内に傾斜し、傾斜夾角ｅが３°〜１０°であり、好ましくは６°である。前羽根４５０が後蓋板４６０円形辺縁に隣接する部分で反時計方向に屈曲して時計方向に傾斜し、後蓋板４６０の前表面と一定夾角を形成する屈曲傾斜部を形成し、図２に示す屈曲傾斜部の後根部４５１の中心線が前羽根４５０のＨＩ段中心線との夾角ｄが屈曲傾斜部において平行線を描いた前自由辺部４５３中心線が前羽根４５０のＨＩ段中心線との夾角ｃより大きく、液体の前自由辺部４５３から離れる絶対速度が液体の後根部４５１から離れる絶対速度より小さくなり、このようにして、ポンプ室における液体がポンプ前蓋方向に向く縦方向流動を生じるようになり、それとともに回転流動を有し、これで、ポンプ内に螺旋流を形成し、液流がこの前羽根４５０反時計方向の複数の前羽根４５０間の空間に複数回に入り、絶え間なくに昇圧し、そして最高圧力に達した後、定圧を保持する。前羽根４５０の入口角ｇが３０°〜６０°であり、好ましくは４５°である。屈曲傾斜部において平行線を描いた自由辺部４５３の出口角ｐが９０°〜１３０°であり、好ましくは１００°である。屈曲傾斜部後根部４５１の出口角ｑが１１０°〜１４０°であり、好ましくは１３０°である。このようにして、ポンプの出口圧力が更に高く、更に安定になる。
【００２２】
図４と図５を参照し、羽根車４００の前羽根４５０がポンプ内に形成した螺旋流が羽根車４００の複数の前羽根４５０間の空間に複数回に入るようにガイドし、これでポンプ出口圧力を更に上げるために、本発明が従来の旋流定圧ポンプの前蓋の単円弧形内壁を多円弧内壁に変える。図４に示すように、本発明の螺旋流定圧ポンプのポンプケース２００の内壁は前部の半径がＲ１の円弧部分２６０、中部の半径がＲ２の円弧部分２７０及び後部において前部から後部までがポンプケース２００の中心線に傾斜する斜直線段部分２８０を含む。前部の半径がＲ１の円弧部分２６０、中部の半径がＲ２の円弧部分２７０及び後部において前部から後部までがポンプケース２００の中心線に傾斜する斜直線段部分２８０はポンプケース２００の中心線に回って一周回転してポンプケース２００の内壁を形成する。半径Ｒ１が半径Ｒ２より大きい。
【００２３】
本発明の螺旋流定圧ポンプの羽根車４００の前羽根４５０屈曲傾斜部後根部４５１の出口遠心力が前羽根４５０屈曲傾斜部前自由辺の出口遠心力より大きく、屈曲傾斜部後根部の液流圧力も相応に折傾斜部分前自由辺の液流圧力より高く、このため、液流方向が屈曲傾斜部後根部から屈曲傾斜部前自由辺に指し、縦方向流動を生じ、それとともに羽根車４００に従って回転流動を生じて、これで螺旋流を形成し、そして羽根車４００の複数の前羽根４５０間の空間に再びに入り、圧力を更に上げ、その作用が多級遠心ポンプに類似し、高揚力と定圧力を得る。このプロセスでは、ポンプケース２００の渦形円弧がよいガイド作用を果たす。また、前羽根４５０とポンプケース２００内壁との間の間隙がより大きく、大量固体不純物を含む液体をポンプで送る場合、前羽根４５０を摩耗しにくい。
【図１】
0003178989.tif 000003
【図２】
0003178989.tif 000004
【図３】
0003178989.tif 000005
【図４】
0003178989.tif 000006
【図５】
0003178989.tif 000007
【図６】
0003178989.tif 000008
【図７】
0003178989.tif 000009